(57)【特許請求の範囲】
【請求項１】
遊技釘が挿通可能な貫通孔が形成された筒部および該筒部の外周に放射状に設けられた複数の羽根板を有する羽根部と、該羽根部の前方に配置される装飾回転部とを有する風車本体が前記遊技釘を中心として回転可能に遊技盤へ取付けられる遊技機用風車において、
前記風車本体の前記羽根部および前記装飾回転部は、前記風車本体の中心軸から偏心した略円柱状の連結部により相互に離間して連結され、前記連結部に挿通される貫通孔を有し、前記連結部を回転軸として前記離間した隙間内で回転可能な装飾回転体を備えることを特徴とする遊技機用風車。
【請求項２】
前記装飾回転体の前記貫通孔は、実質的に中心位置に形成され且つ長円形等の非円形に形成されることを特徴とする請求項１に記載の遊技機用風車。
【請求項３】
前記装飾回転体は、略雪氷結晶形状又は略矢車状であることを特徴とする請求項または２に記載の遊技機用風車。
【請求項４】
前記装飾回転体は、相互に重ね合わせて配置される回転板状体であることを特徴とする請求項１、２または３に記載の遊技機用風車。
【発明の詳細な説明】
【０００１】
【発明の属する技術分野】
本発明は遊技機、特に遊技球を遊技機内に発射して入賞口等に入賞させて遊技するパチンコ機等の遊技機用風車に関する。
【０００２】
【従来の技術】
パチンコ機等の遊技機は、遊技盤の遊技領域に遊技球を発射装置から発射して、遊技領域に配置された入賞口および始動口等に入賞させ、入賞すると所定数の遊技球を遊技者に賞球または払い出して遊技する。遊技者は、調整ノブを回転調整して、遊技球が入賞するよう発射装置の遊技球発射速度を調節する。一般的な遊技機は、遊技領域の遊技球の通路に複数の釘を設けると共に風車を配置して、遊技領域内に発射された遊技球の遊技領域内での通路を複雑に変更することにより、遊技を一層面白くしている。
【０００３】
図４は、従来の遊技機用風車の構成を示す斜視図である。図４に示すように、従来の遊技機用風車100は、羽根板110および装飾回転板120により構成される。羽根板110は、中心に遊技釘130の外径より大きい直径の貫通孔を有する円筒体（筒部）112を有する。また、この円筒体112の外周面には、複数（例えば３枚）の羽根板110が等間隔に形成されている。装飾回転板120は、片面（または全面）に装飾122が施されると共に中心に遊技釘130の外径より大きい貫通孔114が形成された円盤状体である。円筒体112を有する複数の羽根板110および装飾回転板120は、例えばプラスチックモールドにより一体的に形成されている。
【０００４】
この遊技機用風車100は、円筒体112および装飾回転板（装飾回転部）120の貫通孔114に遊技釘130を挿通させ、且つこの遊技釘130を遊技盤（図示せず）に略直角に打付けて取付けられる。勿論、遊技機用風車100の設置の際には、装飾回転板120の装飾面を遊技者側（前面）に、羽根板110が遊技盤側になるよう配置される。従って、この遊技機用風車100は、遊技釘130を中心にして一体的に回転することとなる。なお、近年の遊技機用風車においては、視覚的な効果を一層高めるため、装飾部分にＬＥＤ等の電飾装置を備えるものも実用化されている。
【０００５】
【発明が解決しようとする課題】
しかしながら、上述した従来の遊技機用風車100では、装飾回転板120の装飾面を含む風車全体が一体となって回転する。そのため、装飾状態では複雑な装飾を施しても、風車自体の回転によって装飾部分が１つに見えて単調である。また、風車自身の自重によって回転動作が維持され難い。また、電飾装置を備える遊技機用風車では、専用基板の使用で配線が簡素化されているものの、構造の複雑化により故障が発生し易く、点検作業および保守作業も煩雑となっている。そして、この種の遊技機用風車は、上述した従来遊技機用風車に比べ概ね大型となるため、設置場所が限定されるという問題がある。
【０００６】
そこで、本発明は、上述した従来技術の課題に鑑みなされたものであり、簡単な構造で装飾効果を高めた遊技機用風車を提供することを目的とするものである。
【０００７】
【課題を解決するための手段】
本発明の遊技機用風車は、遊技釘が挿通可能な貫通孔が形成された筒部およびこの筒部の外周に放射状に設けられた複数の羽根板を有する羽根部と、この羽根部の前方に配置される装飾回転部とを有する風車本体が遊技釘を中心として回転可能に遊技盤へ取付けられる遊技機用風車であって、風車本体の羽根部および装飾回転部は、風車本体の中心軸から偏心した略円柱状の連結部により相互に離間して連結され、この連結部に挿通される貫通孔を有し、前記連結部を回転軸として前記離間した隙間内で回転可能な装飾回転体を備えている。
【０００８】
また、本発明の遊技機用風車の好適な実施形態によると、装飾回転体を風車本体より軽量に形成する。連結部を略円柱状に形成すると共に、装飾回転体の貫通孔を略楕円形に形成する。装飾回転体の貫通孔の内壁に丸みを形成する。また、羽根部の筒部の遊技盤側端部に、羽根板より遊技盤側へ丸みを付けた突出部を形成する。さらに、装飾回転体は、複数の羽根が放射状に形成された略雪氷結晶形状である。
【０００９】
【発明の実施の形態】
以下、本発明による遊技機用風車の好適な実施形態の構成および動作を、添付図面を参照して詳細に説明する。
【００１０】
図１は、本発明による遊技機用風車の好適な実施形態の構成を示す分解斜視図である。図１に示すように、本発明による遊技機用風車10は、羽根部30および装飾回転部40よりなる風車本体20、および装飾回転体60より構成される。これら羽根部30、装飾回転部40および装飾回転体60は、それぞれ分離した別体構造であるが、後述のように連結部により一体化されると共に、遊技釘50により遊技機の遊技盤に回転可能に取り付けられる。
【００１１】
羽根部30は、中心に貫通孔31を有する筒部32、この筒部32の外周に放射状に形成された複数（この特定例では３枚）の羽根板33を含んでいる。この羽根部30は、後述するように、遊技機の遊技盤に回転可能に取り付けられる。この羽根部30は、図１に示す右側が遊技盤側であり、左側が遊技盤から遠端となるように取り付けられる。これら複数の羽根板33の１つである例えば羽根板33ａの遠端で、且つ貫通孔31から離れた位置にピン（円柱）状の連結部34が形成されている。また、装飾回転部40は、比較的薄い円盤状であり、その中心に貫通孔41を有し、前面に装飾42が施されている。
【００１２】
図２は、図１に示す遊技機用風車10を構成する装飾回転体60の詳細構成を示す図であり、図２（Ａ）は装飾回転体60の正面図であり、図２（Ｂ）はその断面図である。これら図２（Ａ）および（Ｂ）から理解されるように、装飾回転体60は、中心に貫通孔61を有する円盤部62から放射状に延びる複数（この特定例では６個）の羽根63を有する略雪氷結晶形状（または略矢車状）の平板状部材であり、その前面（遊技者側）に適当な装飾模様（図示せず）が描かれている。この装飾回転体60の貫通孔61は、略楕円形であると共に図２（Ｂ）に示すように、その内壁に丸み付けされている。
【００１３】
次に、図１および図３を参照して、本発明による遊技機用風車10の組み立て工程および動作を説明する。図３（Ａ）は、装飾回転部40の正面図である。図３（Ｂ）は、装飾回転部40および羽根部30の断面図である。図３（Ｃ）は、羽根部30の背面図である。先ず、羽根部30の貫通孔31に遊技釘50を挿通して遊技機の遊技盤の所定位置に打ち込む。このとき、遊技釘50の前端は、羽根部30の前面から実質的に前方に突出しないようにする（装飾回転体60との干渉を阻止する）。次に、装飾回転体60の貫通孔61を羽根部30の連結部34に挿入することにより、装飾回転体60が連結部34を中心に回転可能に取り付けられる。最後に、羽根部30と装飾回転部40とを連結部34において連結する。なお、風車本体20を構成する羽根部30と装飾回転部40との連結部34における連結は、適当な接着剤を使用しても良い。また、装飾回転部40の所定位置に形成した取付穴（図示せず）に連結部34の前端を挿入して接着または熱溶着しても良い。この場合には、装飾回転部40の取付穴および連結部34の前端形状を非円形にするのが好ましい。なお、図３（Ｂ）から理解されるように、羽根部30の筒部32は、遊技盤側に丸みを帯びた突出部35が形成され、遊技盤との接触面積を減少させることにより、接触抵抗を低減するように構成している。
【００１４】
上述の構成により、装飾回転体60の中心は、羽根部30および装飾回転部40の中心、即ち遊技釘50に対して偏心している。従って、遊技球が衝突することにより羽根部30が回転すると、この羽根部30の回転と連動して装飾回転体60も回転する。しかし、上述した装飾回転部40に対する装飾回転体60の回転中心が風車本体20の回転中心と偏心することにより、遊技機用風車10の装飾効果を高めることが可能である。なお、このような遊技機用風車は、パチンコ機等の遊技機の遊技領域内に複数個選択的に取り付け可能である。
【００１５】
以上、本発明による遊技機用風車の好適な実施形態の構成および動作を詳述した。しかし、この実施形態は、本発明の単なる例示に過ぎず。何ら本発明を限定するものではない。本発明の要旨を逸脱することなく種々の変形変更が可能であること、当業者には容易に理解できよう。例えば、上述の好適な実施形態では、１個の装飾回転体60を使用したが、装飾回転体の厚みを薄くして複数の装飾回転体を使用しても良い。その場合には、共通の連結部を使用しても良く、また複数の連結部を使用しても良い。さらに、装飾回転体は、必ずしも平板状である必要はなく、その先端に錘を付加して、その回転動作を不規則にしても良い。また、連結部34は、風車本体20の羽根部30側でなく、装飾回転部40側に形成しても良い。その場合には、羽根部30の前端側に比較的薄い円盤を形成して連結を容易にすると良い。さらに、風車本体の遊技盤への取り付けは、必ずしも遊技釘を使用する必要はなく、その他の類似取り付け手段でも良い。従って、本明細書中では、「遊技釘」とは、このような取付手段の総称であると解するべきである。
【００１６】
【発明の効果】
以上の説明から理解されるように、本発明の遊技機用風車によると、次のような実用上の顕著な効果を奏する。即ち、羽根部および装飾回転部を、従来のように一体構成とせず、偏心した略円柱状の連結部で相互に離間して結合する。そこで、連結部は、羽根部および装飾回転部を離間して連結する連結部としておよび装飾回転体の回転軸としての複数の機能を有する。従って、風車本体と装飾回転体が相互に偏心して別々に回転可能にすることにより、装飾効果を大幅に改善することが可能である。
【００１７】
また、本発明の遊技機用風車によると、例えば厚さの薄いまたは軽量素材を使用して、風車本体よりも装飾回転体を軽量にすることにより、風車本体が動作停止しても装飾回転体がさらに回転して装飾効果を高めることも可能である。また、風車本体と遊技盤との接触面積は、丸みを帯びた突出部の形成により、接触抵抗を低減するので、羽根板への遊技球の衝突により、回転が比較的長く持続する。
【図面の簡単な説明】
【図１】本発明による遊技機用風車の好適な実施形態の構成を示す分解斜視図、
【図２】図１に示す遊技機用風車を構成する装飾回転体の構成図であって、（Ａ）は正面図、（Ｂ）は断面図、
【図３】図１に示す遊技機用風車の詳細構成図を示し、（Ａ）は装飾回転部の正面図、（Ｂ）は羽根部および装飾回転部の断面図、（Ｃ）は羽根板の背面図、
【図４】従来の遊技機用風車の斜視図である。
【符号の説明】
10  遊技機用風車
20  風車本体
30  羽根部
31、41、61  貫通孔
32  筒部
33  羽根板
34  連結部
35  突出部
40  装飾回転部
50  遊技釘
60  装飾回転体
63  羽根
【図１】
0003996327.tif 000002
【図２】
0003996327.tif 000003
【図３】
0003996327.tif 000004
【図４】
0003996327.tif 000005